(57)【要約】      （修正有）【課題】倉庫などのような特に階高の高いＲＣ構造の建物をきわめて効率的かつ安全に構築することができるＲＣ構造体の構築工法を提供する。【解決手段】柱３，３を先行施工する。柱筋１を配筋し、当該柱筋１の周囲に屋外側がハーフプレキャストコンクリート版からなる柱型枠２を設置する。当該柱型枠２内にコンクリートを打設して柱３を構築する。次に柱間３，３に仮設梁４を架け渡し、壁筋６を配筋し、当該壁筋６の両側に屋外側がハーフプレキャストコンクリート版からなる壁型枠７を設置する。当該壁型枠７内にコンクリート１１を打設して外壁８を構築する。次に前記仮設梁４の上に直上階の梁および床スラブ９の型枠１０を設置する。当該型枠１０内に梁筋とスラブ筋を配筋し、コンクリート１１を打設して直上階の梁およびと床スラブ９を構築する。【選択図】図９
2007100461.tif 000002
【特許請求の範囲】
【請求項１】
柱を先行施工した後、当該柱間の外壁、前記柱および外壁の直上に位置する梁および床スラブを施工するＲＣ構造体の構築工法であって、前記柱の柱筋を配筋し、当該柱筋の周囲に屋外側がハーフプレキャストコンクリート版からなる柱型枠を設置し、当該柱型枠内にコンクリートを打設して前記柱を構築し、次に当該柱間に仮設梁を架け渡し、前記外壁の壁筋を配筋し、当該壁筋の屋外側と屋内側に屋外側がハーフプレキャストコンクリート版からなる壁型枠を設置し、当該壁型枠内にコンクリートを打設して前記外壁を構築し、次に前記仮設梁の上に前記梁および床スラブの型枠を設置し、当該型枠内に梁筋とスラブ筋を配筋し、コンクリートを打設して前記梁と床スラブを構築することを特徴とするＲＣ構造体の構築工法。
【請求項２】
壁筋の屋内側に壁型枠の屋内側を構成する内型枠を設置し、当該内型枠を上方に移動し、当該壁型枠内にコンクリートを打ち継ぐことを特徴とする請求項１記載のＲＣ構造体の構築工法。
【請求項３】
ハーフプレキャストコンクリート版に仕上げ材が施してあることを特徴とする請求項１または２記載のＲＣ構造体の構築工法。
【発明の詳細な説明】
【技術分野】
【０００１】
本発明はＲＣ構造体の構築工法に関し、特に倉庫などのような階高の高いＲＣ構造物の施工に適用される。
【背景技術】
【０００２】
一般にＲＣ構造物の柱、梁、外壁などの構造体の施工は、作業足場の組み立てから始まって各構造体の鉄筋の配筋、型枠の加工と組み立て、さらにコンクリートの打設、養生の順に行われ、特に柱と壁の施工は同時に行われる。
【０００３】
また、コンクリートの養生後、型枠を解体撤去して構造体の施工が完了したら、各構造体に対して外装工事が行われ、一連の工事が完了した後、作業足場が解体して撤去される。
【特許文献１】特開平５−７９０９２号公報
【特許文献２】特開平５−１０６２７６号公報
【発明の開示】
【発明が解決しようとする課題】
【０００４】
しかし、倉庫などのような特に階高の高い建物の施工に際しては、作業足場の組み立て、各構造体の鉄筋の配筋、さらに型枠の組み立て等、多くの作業が高所作業となり、特に型枠と作業足場には多くの仮設材が使用されているため、その組み立てと解体作業は非常に危険を伴うものである。
【０００５】
また、コンクリートの打設に際しても、高所からの打設を強いられるため、鉄筋のかぶり厚を確実に確保できないことがあり、またコンクリートの分離、コールドジョイント、ジャンカ、さらにはひび割れ等が発生して品質の低下を招きやすい等の課題があった。
【０００６】
さらに、都心のように限られた敷地内に敷地一杯に建設される建物にあっては、周囲の建物が障害になって外装工事が非常に困難になる等の課題もあった。
【０００７】
本発明は、以上の課題を解決するためになされたもので、特に倉庫などのような階高の高い建物を効率的に、低コストでかつ安全に構築できるＲＣ構造体の構築工法を提供することを目的とする。
【課題を解決するための手段】
【０００８】
請求項１記載のＲＣ構造体の構築工法は、柱を先行施工した後、当該柱間の外壁、前記柱および外壁の直上に位置する梁と床スラブを施工するＲＣ構造体の構築工法であって、前記柱の柱筋を配筋し、当該柱筋の周囲に屋外側がハーフプレキャストコンクリート版からなる柱型枠を設置し、当該柱型枠内にコンクリートを打設して前記柱を構築し、次に当該柱間に仮設梁を架け渡し、前記外壁の壁筋を配筋し、当該壁筋の屋外側と屋内側に屋外側がハーフプレキャストコンクリート版からなる壁型枠を設置し、当該壁型枠内にコンクリートを打設して前記外壁を構築し、次に前記仮設梁の上に前記梁および床スラブの型枠を設置し、当該型枠内に梁筋とスラブ筋を配筋し、コンクリートを打設して前記梁と床スラブを構築することを特徴とするものである。
【０００９】
本発明は、特に外柱と外壁の屋外側の外型枠としてハーフプレキャストコンクリート(以下「ＰＣＦ」という)版を用い、少なくとも当該外柱と外壁の屋外側の型枠と当該型枠を設置するための外部足場を省略して、階高の高いＲＣ構造体の施工の効率化と省力化、さらに安全施工を可能にしたものである。
【００１０】
ここで用いるＰＣＦ版は、プレキャストコンクリート版の内側に版全体にわたって複数の鉄筋(いわゆる「オムニヤ筋」)が所定間隔おきに突設され、後から打設されるコンクリートと一体のＲＣ合成体を形成するコンクリート版である。仮設梁は、壁筋、壁型枠の外型枠、さらに直上階の梁と床スラブを構築するための型枠などを受ける支保工として利用するもので、Ｈ形鋼などの形鋼材を用いることができる。
【００１１】
また、仮設梁は工事の進行に伴って上階に移動して(盛り変えて)使用することができ、工事完了後は撤去することができる。なお、柱を構築した後、当該柱間に外壁より先に本設の梁を施工し、当該梁を仮設梁として利用することもできる。
【００１２】
請求項２記載のＲＣ構造体の構築工法は、請求項１記載のＲＣ構造体の構築工法において、壁筋の屋内側に壁型枠の屋内側を構成する内型枠を設置し、当該内型枠を上方に移動(盛り変え)し、当該壁型枠内にコンクリートを打ち継ぐことを特徴とするものである。
【００１３】
本発明は、外壁の施工に際し、コンクリートを複数回に分けて打ち継いで外壁全体のコンクリートを打設することにより、高所作業に伴うコンクリートの分離、コールドジョイント、ジャンカの発生を未然に防止し、コンクリートの品質の向上を図ることができる。
【００１４】
請求項３記載のＲＣ構造体の構築工法は、請求項１または２記載のＲＣ構造体の構築工法において、ＰＣＦ版に仕上げ材が施してあることを特徴とするものである。
【００１５】
本発明は、特に敷地一杯に建物が構築され、周囲の建物が障害となって外装工事ができないような場合に適しており、この場合の仕上げとしては、例えばタイル、塗装、吹き付け等があり、特に限定されるものではない。
【発明の効果】
【００１６】
本発明は、特に外柱と外壁の屋外側の外型枠としてＰＣＦ版を用いることにより、少なくとも当該外柱と外壁の屋外側の型枠と当該型枠を設置するための外部足場を省略できるため、階高の高いＲＣ構造体の施工の効率化と省力化、さらに安全施工が可能である。
【００１７】
また、ＰＣＦ版は外柱および外壁の構造体の一部となるため、所定のかぶり厚を確実に確保することができる。さらに、ＰＣＦ版には予め仕上げ材を施すことにより、敷地一杯に構築され、周囲の建物が障害となって外装工事ができないような場合でも特に問題になることはない。
【発明を実施するための最良の形態】
【００１８】
図１〜図１２は、本発明のＲＣ構造体の構築工法の一例を示し、以下その施工手順について説明する。
【００１９】
最初に、柱筋１を地組みする(図１参照)。柱筋１は複数の主筋１ａとフープ筋(またはスパイラル筋)１ｂを、構築される柱の断面形状に合わせて矩形または円形のかご状に組み立てる。またその際、柱の側方に突出して後述する壁筋との継手となる差筋１ｃ，１ｃを配筋し、またコンクリート打ち継ぎ部のラス(図省略)、コンクリート打設用の管(例えばスパイラル管(図省略))なども組み込む。
【００２０】
次に、地組みした柱筋１を予め墨出しした位置に建て込む。柱筋１を基礎の上に建て込むときは、各主筋１ａの下端部を予め基礎の上に突設したアンカー筋と結合し、また先に建て込んだ直下階の柱筋の上に重ねて建て込むときは、各主筋１ａの下端部を先に建て込んだ柱筋１の各主筋１ａと結合して自立させる。
【００２１】
次に、柱筋１の周囲に柱型枠２を設置する(図２参照)。その際、柱筋１の屋外側には、特にＰＣＦ版からなる外型枠２ａを建て込む。また、外型枠２ａと対峙する内側(屋内側)とその両側の三方に内型枠２ｂを設置する。
【００２２】
ここで、外型枠２ａとして用いられるＰＣＦ版は、当該ＰＣＦ版の内側に版全体にわたって複数の鉄筋(いわゆる「オムニヤ筋」)が所定間隔おきに突設され、後から打設されるコンクリートと一体の合成体を形成するコンクリート版であり、また、当該外形枠２ａは階高とほぼ同等の高さを有し、また柱筋１の径(横幅)より幅広に形成され、両サイドが柱筋１の差筋１ｃに添って柱筋１の側方に伸びて、後述する外壁の外型枠の一部になっている。
【００２３】
また、外型枠２ａの下端部にレベル調整ボルト(図省略)が取り付けられ、さらに下端部と両縁端部に当該下端部と縁端部を固定するファスナー(図省略)が取り付けられている。
【００２４】
このように形成された外型枠２ａを基礎の上に建て込むときは、予め墨出しを行って建て込む位置を決め、また建て込んだ後下端部をファスナーによって基礎の上に固定する。また、外型枠２ａを先に建て込んだ直下階の外型枠の上に重ねて建て込むときは、下端部を先に建て込んだ外型枠の上端部とファスナーによって結合する。
【００２５】
また、いずれの場合も、下端部を固定する前にレベル調整ボルトによってレベル調整を行うものとし、また、内側から斜めサポート(図省略)によって鉛直に支持する。
【００２６】
内型枠２ｂは、従来のコンクリート工事で用いられている、合板などからなる型枠であり、単管パイプ等の端太材からなる支保工により締め付けて固定する。
【００２７】
内型枠２ａの組み立ては、高所作業車を利用して行うものとし、単管などからなる支保工材で締め付ける。
【００２８】
次に、こうして組み立てた柱型枠２内にコンクリートを打設する。コンクリートの打設に際しては、柱筋１の中に予め組み込んだコンクリート打設用管を利用することにより、高所作業に伴うコンクリートの分離、コールドジョイント、ジャンカ等の発生を防止し、コンクリートの充填性の向上を図る。
【００２９】
なお、内型枠２ｂを少なくとも２回程度に分けて組み立て、上に移動(盛り代え)しながら、コンクリートを打設するようにすれば、高所作業に伴うコンクリートの分離等を防止でき、コンクリートの品質を高めることができる。
【００３０】
次に、柱のコンクリートが充分に硬化したら外型枠２ａは残し、内型枠２ｂを解体して撤去する(図３参照)。これで、ＲＣ構造の柱３が構築されたことになる。
【００３１】
次に、こうして構築されたＲＣ構造の柱３と柱３との間に仮設梁４を架け渡す(図５参照)。仮設梁４の設置に際しては、柱３の側部に架設梁４を受けるブラケット５を突設し(図４参照)、このブラケット５に仮設梁４の端部をそれぞれボルト接合する。
【００３２】
ブラケット５は、後から構築される本設梁(または床スラブ)のやや下側に取り付けるものとし、また柱筋１を地組する際に柱筋１内に予め組み込んでおいたインサートナット(図省略)を利用し、当該インサートナットに螺合される取付ボルト(図省略)によって取り付ける。
【００３３】
なお、仮設梁４にはＨ形鋼やＩ形鋼などの形鋼材を用い、またブラケット５の取り付けと仮設梁４の設置には高所作業車を利用する。
【００３４】
次に、壁筋６を地組みする。壁筋６は複数の縦筋と横筋を矩形の格子状に組み立て、必要に応じて二重に組み立てる。壁筋６の縦筋には階高よりやや長めの鉄筋を用い、縦筋の上端部分をその上側に設置される直上階の壁筋との継手部とし、横幅は柱３，３間(柱スパン)の内法幅と略同じとする。また、柱３，３間のスパンが長いために横幅が大き過ぎるときは、必要に応じて複数に分割してもよい。
【００３５】
なお、壁筋６の組み立てに際しては、地組ヤードに捨てコンクリートを打ち、その上に後述する外壁の外型枠に取り付けられたファスナー等の付属金物や開口部などの位置を墨出し、これらを避けて配筋作業を行うものとする。
【００３６】
次に、こうして地組した壁筋６を、隣接する柱３，３間の予め墨出しした位置に建て込む(図６参照)。壁筋６を基礎の上に建て込むときは、各縦筋の下端部を予め基礎の上に突設したアンカー筋と結合し、また先に建て込んだ直下階の壁筋６の上に重ねて建て込むときは、各縦筋の下端部を先に建て込んだ壁筋の各縦筋の上端部とそれぞれ結合する。
【００３７】
また、いずれの場合にも、壁筋６の各横筋の両端部は柱３の側部に突設された差し筋１ｃと結合する。なお、壁筋６の吊り込みに際しては、吊り込む部分を番線などで適当に補強し、専用の吊り冶具によって吊り込む。
【００３８】
次に、壁筋６の両側に壁型枠７を設置する(図７，８参照)。壁型枠７の組み立てに際しては、屋外側にＰＣＦ版からなる外型枠７ａを建て込む。また、外型枠７ａと対峙する壁筋６の屋内側には内型枠７ｂを設置する。外型枠７ａは、柱型枠２の外型枠２ａと同様に階高とほぼ同じ高さに形成されている。また、外型枠７ａの下端部にレベル調整ボルト(図省略)が取り付けられ、さらに下端部と両縁端部に当該下端部と縁端部をそれぞれ固定するファスナー(図省略)が取り付けられている。
【００３９】
外型枠７ａを基礎の上に建て込むときは、予め墨出しを行って建て込む位置を決め、下端部を基礎の上にファスナーによって固定する。また、先に建て込んだ直下階の外型枠７ａの上に重ねて建て込むときは、下端部を先に建て込んだ外型枠７ａの上端部とファスナーによって結合する。
【００４０】
また、いずれの場合も、下端部を固定する前にレベル調整ボルトによってレベル調整を行うものとし、また、両側の縁端部を隣接する外型枠７ａの縁端部とファスナーによってそれぞれ固定し、さらに上端部を仮設梁４に仮固定し、そして内側に斜めサポート(図省略)を設置して鉛直に支持する。
【００４１】
内型枠７ｂは、従来のコンクリート工事で用いられている、合板などからなる型枠であり、単管パイプ等の端太材からなる支保工により締め付けて固定する。
【００４２】
また、内型枠７ｂは少なくとも２回程度に分けて組み立て、上に移動(盛り代え)しながら利用する。また、内型枠７ｂの組み立てと盛り代えは高所作業車を利用して行う。
【００４３】
そして、第一段目の内型枠７ｂを設置したら外型枠７ａと内型枠７ｂとの間にコンクリート１１を打設し、十分に養生して外壁８の下半分を構築する。そして、コンクリート１１が十分に硬化したら内型枠７ｂを上方に盛り代え(移動し)、残る上半分の外壁を構築する。こうして、先行施工された柱３，３間にＲＣ構造の外壁８が柱３，３と一体的に構築されたことになる。
【００４４】
なお、内型枠７ｂの盛り代えに際しては、内型枠７ｂの下端部を一回目のコンクリート１１の打設によって構築された躯体の内側に数センチ程度重ねることにより目違いをなくす。
【００４５】
次に、こうして構築されたＲＣ構造の柱３，３および外壁８の上に、当該柱３と外壁８の上に構築される直上階の梁および床スラブ９を構築する。施工に際しては、まず、仮設梁４を支保工にして梁および床スラブ９の型枠１０を設置し(図１０参照)、その上に梁筋とスラブ筋を配筋し、かつコンクリート１１を打設する。そして、コンクリート１１が十分に硬化したら型枠１０を解体して撤去する。こうして、直上階の梁と床スラブ９が構築されたことになる。なお、仮設梁４は、梁と床スラブ９が構築された後、これらの型枠１０と共に撤去する。
【００４６】
以上の工程でＲＣ構造体の一階分の柱３、外壁８および梁と床スラブ９が構築されたことになる。よって、この工程を上方に繰り返し行うことにより複数階のＲＣ建物の構造体をきわめて効率的にかつ安全に構築することができる。
【産業上の利用可能性】
【００４７】
本発明は、倉庫などのような階高の高いＲＣ構造の建物を構築する際に特に有効であるが、必ずしも階高の高いＲＣ構造物に限定されることなく、階高の低いＲＣ構造物に本発明を適用することも可能である。
【図面の簡単な説明】
【００４８】
【図１】本発明の施工手順を示し、(ａ)は柱筋を建て込んだ状態の平面図、(ｂ)はその正面図である。
【図２】本発明の施工手順を示し、(ａ)は柱筋の周囲に柱の型枠を設置した状態の平面図、(ｂ)はその正面図、(ｃ)はその側面図である。
【図３】本発明の施工手順を示し、(ａ)は構築されたＲＣ構造の柱の平面図、(ｂ)はその正面図である。
【図４】本発明の施工手順を示し、(ａ)は構築された柱の側部にブラケットを突設した状態を示す平面図、(ｂ)はその正面図である。
【図５】本発明の施工手順を示し、(ａ)は構築された柱間に仮設梁を架け渡した状態を示す平面図、(ｂ)はその正面図である。
【図６】本発明の施工手順を示し、(ａ)は構築された柱間に仮設梁を架け渡し、かつ壁筋を配筋した状態を示す平面図、(ｂ)はその正面図である。
【図７】本発明の施工手順を示し、(ａ)は構築された柱間に仮設梁を架け渡し、壁筋を配筋し、かつ屋外側にＰＣＦ版からなる外型枠を設置した状態を示す平面図、(ｂ)はその正面図、(ｃ)はその側面図である。
【図８】本発明の施工手順を示し、(ａ)は構築された柱間に仮設梁を架け渡し、壁筋を配筋し、かつ屋外側にＰＣＦ版からなる外型枠を、屋内側に一段目の内型枠を設置した状態を示す平面図、(ｂ)はその正面図、(ｃ)はその側面図である。
【図９】本発明の施工手順を示し、(ａ)は図８において外型枠と内型枠との間に第一段目のコンクリートを打設した状態を示す平面図、(ｂ)はその正面図、(ｃ)はその側面図である。
【図１０】本発明の施工手順を示し、(ａ)は構築されたＲＣ構造の柱と外壁の上側に梁と床スラブを構築するための型枠を設置した状態を示す平面図、(ｂ)はその正面図である。
【図１１】本発明の施工手順を示し、(ａ)は仮設梁を撤去し、一体的に構築されたＲＣ構造の柱と外壁を示す平面図、(ｂ)はその正面図である。
【図１２】図１０(ｂ)におけるイ−イ腺断面図である。
【符号の説明】
【００４９】
１  柱筋
１ａ  主筋
１ｂ  フープ筋
１ｃ  差し筋
２  柱型枠
２ａ  外型枠
２ｂ  内型枠
３  ＲＣ構造の柱
４  仮設梁
５  ブラケット
６  壁筋
７  壁型枠
７ａ  外型枠
７ｂ  内型枠
８  ＲＣ構造の壁
９  ＲＣ構造の梁および床スラブ
１０  梁および床スラブの型枠
１１  コンクリート
【図１】
2007100461.tif 000003
【図２】
2007100461.tif 000004
【図３】
2007100461.tif 000005
【図４】
2007100461.tif 000006
【図５】
2007100461.tif 000007
【図６】
2007100461.tif 000008
【図７】
2007100461.tif 000009
【図８】
2007100461.tif 000010
【図９】
2007100461.tif 000011
【図１０】
2007100461.tif 000012
【図１１】
2007100461.tif 000013
【図１２】
2007100461.tif 000014